(57)【特許請求の範囲】
【請求項１】
用紙搬送路に配設され該用紙搬送路を通過する用紙に複数個の穴を穿設する用紙穿孔装置であって、
該用紙搬送路の上側に用紙搬送方向に直交して配設された複数個のパンチと、  該複数個のパンチの上端部に各々装着された複数個の押圧部材と、
該複数個の押圧部材の各々を作動するパンチ作動機構と、を有し、
該パンチ作動機構は、該複数個の押圧部材の配列方向に沿って配設されたカム軸と、該カム軸に装着された複数個のカムと、該カム軸を回転駆動するカム駆動機構と、該カム軸を軸方向に作動し該複数個のカムの中の一部のカムを該複数個の押圧部材の中の一部の押圧部材と対応する第１の位置と、該複数個のカムの中の他のカムを該複数個の押圧部材の中の他の押圧部材と対応する第２の位置に選択的に位置付けるカム位置切換機構と、を具備し、
該押圧部材には、その両端に装着され上方に延びる一対の支持部と該一対の支持部の上端を互いに連結する復帰作用部を備えた復帰部材が設けられ、該復帰部材の下面に該カムが作用するように構成されていおり、
該復帰部材の復帰作用部には、該カムが押圧部材と対応する位置に位置付けられていない状態で、該カムと対応する副復帰作用部が設けられている、
ことを特徴とする用紙穿孔装置。
【発明の詳細な説明】
【０００１】
【発明の属する技術分野】
本発明は、複写機やプリンタ等の画像形成機に装着され、画像形成後の用紙に穴を穿設する用紙穿孔装置に関する。
【０００２】
【従来の技術】
近年、複写機やプリンタ等の画像形成機において、画像形成後の用紙にファイリングするための穿孔処理（パンチ処理）を施す用紙穿孔装置を具備したものが広く実用に供されている。この用紙穿孔装置としては、画像が形成された用紙を原稿枚数に対応した１部毎に一旦用紙受入れ台に搬送し、ここで同時に穿孔処理を行う方式と、画像が形成された用紙を搬送する搬送路のパンチ処理部に穿孔用のパンチを配設し、該パンチ処理部を通過する際に用紙を一旦停止してこの停止時にパンチを作動して画像が形成された用紙に穿孔処理を行う所謂１枚打ち方式とが知られている。この二つの穿孔処理方式のうち所謂１枚打ち方式は、画像形成動作と同期して穿孔処理も行うことが可能であるため、画像形成動作時間と略同じ時間で穿孔処理を行うことができる利点がある。所謂１枚打ち方式の穿孔装置を具備した画像形成機が、実公平３ー２５９１９号公報、特開平３ー１９０６９６号公報に開示されている。
【０００３】
上記実公平３ー２５９１９号公報に開示された穿孔装置は、画像が形成された用紙を搬送する搬送路に配設され用紙の前端を揃えて一旦停止させるストッパと、該ストッパの上流側に用紙搬送方向に直交して配設された２個のパンチと、該パンチを上下方向に往復動せしめるカム作動機構とによって構成されている。また、特開平３ー１９０６９６号公報に開示された穿孔装置は、画像が形成された用紙を搬送する搬送路のパンチ処理部に用紙搬送方向に直交して配設された２個のパンチと、該パンチを上下方向に往復動せしめるカム作動機構と、搬送される用紙の後端側の被穿孔部を上記穿孔部に対応させた状態で一時停止させる用紙停止手段とによって構成されている。
【０００４】
上記両公報に開示された用紙穿孔装置は、穿設する穴の数が１種類しか設定できない構成であり、異なる種類の穴を穿孔する場合にはパンチおよびカム作動機構を交換しなければならない。
【０００５】
上述した問題を解決するものとして、穿設する穴を２種類設定し、使用時には一方を選択して穿孔処理を実行することができる用紙穿孔装置が特開平１１−２６３２８号公報に開示されている。該公報に開示された用紙穿孔装置は、用紙搬送路の用紙搬送方向に直交して配設された複数個のパンチと、該複数個のパンチの各々を作動する複数個の押圧機構と、該複数個の押圧機構を配列方向に作動し第１の位置と第２の位置に位置付ける押圧機構位置付け手段と、該複数個の押圧機構の配列方向に沿って配設されたカム軸と、該カム軸に装着され該押圧機構を作動せしめる複数個のカムとを具備している。そして、上記押圧機構位置付け手段は、上記複数個の押圧機構を装着した切り換え軸と、該切り換え軸を軸方向に作動して上記複数個の押圧機構を上記第１の位置と上記第２の位置に位置付ける切り換え軸作動機構とを具備し、該押圧機構位置付け手段によって該切り換え軸を作動し上記複数個の押圧機構を第１の位置に位置付けると一部の押圧機構が複数個のカムの中の一部のカムと対応し、上記複数個の押圧機構を第２の位置に位置付けると他の押圧機構が他のカムと対応するようになっている。
【０００６】
【発明が解決しようとする課題】
而して、特開平１１−２６３２８号公報に開示された用紙穿孔装置は、上記カム軸と平行に配設され上記複数個の押圧機構を装着した切り換え軸を備えた押圧機構位置付け手段を具備した構成であるため、構成部品が多く、装置全体が大型化する。また、上記公報に開示された用紙穿孔装置は、上記のように切り換え軸に装着された複数個の押圧機構を軸方向に移動させて複数個のパンチとの対応関係を選択する構成であるため、押圧機構が大型化するという問題がある。このように、上記公報に開示された用紙穿孔装置は、各機構の部品点数が多く機構自体が大型化するとともに、部品点数の増加と機構の大型化に伴って各部品の作動による発生音が大きくなるという問題がある。
【０００７】
本発明は、上記の点に鑑みてなされたもので、その主たる技術的課題は、複数個のパンチのうち作動するパンチを選択する切換機構を、部品点数が少なくコンパクトに構成することができる用紙穿孔装置を提供することにある。
【０００８】
【課題を解決するための手段】
上記技術的課題を達成するために、本発明によれば、用紙搬送路に配設され該用紙搬送路を通過する用紙に複数個の穴を穿設する用紙穿孔装置であって、
該用紙搬送路の上側に用紙搬送方向に直交して配設された複数個のパンチと、  該複数個のパンチの上端部に各々装着された複数個の押圧部材と、
該複数個の押圧部材の各々を作動するパンチ作動機構と、を有し、
該パンチ作動機構は、該複数個の押圧部材の配列方向に沿って配設されたカム軸と、該カム軸に装着された複数個のカムと、該カム軸を回転駆動するカム駆動機構と、該カム軸を軸方向に作動し該複数個のカムの中の一部のカムを該複数個の押圧部材の中の一部の押圧部材と対応する第１の位置と、該複数個のカムの中の他のカムを該複数個の押圧部材の中の他の押圧部材と対応する第２の位置に選択的に位置付けるカム位置切換機構と、を具備し、
該押圧部材には、その両端に装着され上方に延びる一対の支持部と該一対の支持部の上端を互いに連結する復帰作用部を備えた復帰部材が設けられ、該復帰部材の下面に該カムが作用するように構成されており、
該復帰部材の復帰作用部には、該カムが押圧部材と対応する位置に位置付けられていない状態で、該カムと対応する副復帰作用部が設けられている、
ことを特徴とする用紙穿孔装置が提供される。
【００１０】
【発明の実施の形態】
以下、本発明に従って構成された用紙穿孔装置の好適な実施の形態を示している添付図面を参照して、更に詳細に説明する。
【００１１】
図１には画像形成機としての静電複写機２と、該静電複写機２に連結して配置され本発明に従って構成された用紙穿孔装置を備えた後処理装置４が示されている。
図示の静電複写機２は、直方体状の機体ハウジング５を具備している。この機体ハウジング５の上面には、複写すべき原稿が載置される静止透明板６が配設されている。静止透明板６の上側には自動原稿搬送装置７が配設されている。この自動原稿搬送装置７は、複写すべき原稿を載置する原稿載置部と、該原稿載置部に載置された原稿を上記静止透明板６の所定位置に搬送する原稿搬送ベルト機構等を有する原稿搬送部を具備している。
【００１２】
上記機体ハウジング５内の略中央部には、図１に示すように感光体ドラム８が回転自在に配設されている。この感光体ドラム８は、図示しない駆動手段によって矢印で示す方向に回転駆動される。該感光体ドラム８の周囲には、矢印で示す回転方向に見て順次に、帯電用コロナ放電器９、現像装置１０、転写用コロナ放電器１１、剥離用コロナ放電器１２、クリーニングユニット１３および除電ランプ１４が配設されている。図示の静電複写機は、上記感光体ドラム８の上方に配設された照射ランプ１５、第１のミラー１６、第２のミラー１７、第３のミラー１８、レンズ１９、第４のミラー２０からなる光学系を具備している。この光学系は、照射ランプ１５によって上記静止透明板６上に位置付けられた原稿に照射し、その反射光像を第１のミラー１６、第２のミラー１７、第３のミラー１８、レンズ１９および第４のミラー２０を介して上記感光体ドラム８の外周面上に結像するように構成されている。
【００１３】
図示の静電複写機２は、上記転写用コロナ放電器１１と感光体ドラム８との間の転写域に用紙を供給するための用紙供給装置２２を備えている。
該用紙供給装置２２は、転写する用紙を収納する用紙カセット２３および２４、用紙送出ローラ２５および２６、捌きローラ対２７および２８、案内路２９、搬送ローラ対３０および３１、レジストローラ対３２を具備している。このように構成された転写紙供給装置２２の上記各ローラ対は、図示しない駆動手段によって各々矢印で示す方向に回転駆動せしめられる。
【００１４】
上記転写域の転写紙送出側には転写紙搬送ベルト機構３３、定着ローラ対３４０を有する定着装置３４および排出ローラ対３５が配設されており、これら搬送ベルト機構および各ローラは図示しない駆動手段によって各々矢印で示す方向に駆動せしめられる。
【００１５】
以上のように構成された静電複写機２は、感光体ドラム８が矢印で示す方向に回転駆動せしめられる間に、帯電用コロナ放電器９が感光体ドラム８上の感光体を特定極性に実質上均一に帯電し、次いで、照射ランプ１５によって静止透明板６上に位置付けられた原稿に照射し、その反射光像が第１のミラー１６、第２のミラー１７、第３のミラー１８、レンズ１９および第４のミラー２０を介して前記感光体ドラム８上に走査露光され、感光体ドラム６上に静電潜像が形成される。しかる後、感光体ドラム８上の静電潜像が現像装置１０によってトナー像に現像される。一方、用紙供給装置２２の用紙カセット２３または２４に収納された用紙が送出ローラ２５または２６から捌きローラ対２７または２８を通して案内路２９に送り出され、レジストローラ対３２で一端停止し、上記感光体ドラム８に形成されるトナー像と同期して転写域に搬送される。転写域に搬送された用紙は、トナー像が形成された感光体ドラム８と転写用コロナ放電器１１の間を通過することによってトナー像が転写される。そして、トナー像が転写された用紙は、剥離用コロナ放電器１２の作用によって感光体ドラム８から剥離され、転写紙搬送ベルト機構３３によって定着装置３４に搬送され、ここで加熱定着されて、排出ローラ対３５により排出口３６を通して排出される。また、上述のようにして転写工程が終了した感光体ドラム８は、クリーニングユニット１３によってその外周面に付着しているトナーが除去され、更に、除電ランプ１４によって感光体表面に除電光が照射され、除電される。
【００１６】
次に、後処理装置４について説明する。
図示の実施形態における後処理装置４は、装置ハウジング４０を具備している。装置ハウジング４０には、上記複写機本体２側の一端に上記排出口３６と対向する位置に用紙搬入口４０１が設けられており、この用紙搬入口４０１から延びる第１の用紙搬送路４１が配設されている。第１の用紙搬送路４１における用紙搬入口４０１側の搬入部は、上記排出口３６側が上下に開いて形成された一対の案内板４１１、４１２によって構成されている。また、第１の用紙搬送路４１の排出側端部には、駆動ローラ４３１と従動ローラ４３２とからなる排出ローラ対４３が配設されている。この排出排出ローラ対４３を構成する駆動ローラ４３１は、図示しない駆動機構を介して駆動源としての電動モータ４４（Ｍ１）に伝動連結され、矢印で示す方向に回転駆動せしめられる。なお、第１の用紙搬送路４１の中間部から第２の用紙搬送路４５が接続して形成されており、この第２の用紙搬送路４５は後処理装置としての例えば図示しないステイプル処理部に延びている。
【００１７】
第１の用紙搬送路４１と第２の用紙搬送路４５との分岐部には分岐爪４６が配設されており、この分岐爪４６は電磁ソレノイド４７（ＳＯＬ１）によって図１において実線で示す第１の位置と、図１において破線で示す第２の位置とに作動せしめられるようになっている。電磁ソレノイド４７（ＳＯＬ１）が除勢されているときは、分岐爪４６が図１において実線で示す第１の位置に位置付けられ、上記用紙搬入口４０１から搬入された用紙は第１の用紙搬送路４１を通って排出ローラ対４３に向けて搬送される。また、電磁ソレノイド４７（ＳＯＬ１）が付勢されると、分岐爪４６が図１において破線で示す第２の位置に位置付けられ、上記用紙搬入口４０１から搬入された用紙は第１の用紙搬送路４１の分岐部から第２の用紙搬送路４５に向けて搬送される。
【００１８】
上記第１の用紙搬送路４１における上記一対の案内板４１１、４１２と第２の用紙搬送路４５の分岐部との間には、用紙穿孔装置５０が配設されている。この用紙穿孔装置５０については、後に詳細に説明する。なお、ハウジング４０の排出側（図１において左側）には、その上部にノンソート用トレイ４８が配設されており、また、ノンソート用トレイ４８の下方にソート用トレイ４９が上下方向に移動可能に配設されている。
【００１９】
次に、上記用紙穿孔装置５０について、図２乃至図７をも参照して詳細に説明する。
用紙穿孔装置５０は、用紙案内手段６０と、パンチユニット７０とを具備している。
用紙案内手段６０は、主に図４に示すように上案内板６１と下案内板６２とからなっており、上案内板６１の上流側端部（図４において右端部）上方に傾斜して形成され上記案内板４１１に接続され、また下案内板６２の上流側端部（図４において右端部）が下方に傾斜して形成されている。上案内板６１には、用紙搬送方向（図１において紙面に垂直な方向）直交して後述するパンチの数に対応する複数個の通孔６１１（図示の実施形態においては５個）が所定のパンチ処理部に設けられている。また、下案内板６２には、上案内板６１に設けられた複数個の通孔６１１と対応する位置に複数個のパンチ孔６２１（図示の実施形態においては５個）が所定のパンチ処理部に設けられており、従って、パンチ孔６２１を備えた下案内板６２はパンチダイとして機能する。
【００２０】
このように構成された用紙案内手段６０の下流側端部には、駆動ローラ６５１と従動ローラ６５２とからなるレジストローラ対６５が配設されている。駆動ローラ６５１は下案内板６２に設けられた開口６２２から上方に突出して配設され、従動ローラ６５２は上案内板６１に設けられた開口６１２から下方に突出して配設されている。このレジストローラ対６５を構成する駆動ローラ６５１は、電磁クラッチ６６（ＣＬＴ１）を介して上記電動モータ４４（Ｍ１）に伝動連結され、矢印で示す方向に回転駆動せしめられる。この電磁クラッチ６６（ＣＬＴ１）が除勢されているときには駆動ローラ６５１と電動モータ４４（Ｍ１）との伝動連結が解除されており、電磁クラッチ６６（ＣＬＴ１）が付勢されると駆動ローラ６５１と電動モータ４４（Ｍ１）とが伝動連結される。図示の実施形態においては、用紙案内手段６０と上記一対の案内板４１１、４１２との間には、用紙検出器６７（ＳＷ１）が配設されている。この用紙検出器６７（ＳＷ１）は、複写機本体２から用紙搬入口４０１を通して後処理装置４内に搬入された用紙を検出して、その検出信号を後述する制御手段に送出する。
【００２１】
上記パンチユニット７０は、複数個（図示の実施形態においては５個）のパンチガイド７１と、該複数個のパンチガイド７１に各々上下方向に摺動可能に配設された複数個（図示の実施形態においては５個）のパンチ７２（７２ー１、７２ー２、７２ー３、７２ー４、７２ー５）と、該複数個のパンチ７２の上端部に各々装着された押圧機構７３（７３ー１、７３ー２、７３ー３、７３ー４、７２ー５）と、該複数個の押圧機構７３の各々を選択的に作動するパンチ作動機構７４を具備している。
複数個のパンチガイド７１は、各々上記パンチ７２の外径に対応する貫通孔７１１を備え外周面が正方形断面に形成された筒状部材からなり、上記上案内板６１に複数個の通孔６１１と対応する位置に配設され、その下端に設けられた取付けフランジ７１２が上記上案内板６１に複数個のビス７１５によって固定されている。このように構成された複数個のパンチガイド７１は、第１の用紙搬送路４１の用紙搬送方向と直交する方向（図１および図４において紙面に垂直な方向）に配設されている。
【００２２】
上記パンチ７２は、その下端にパンチ刃７２１を備え、その上端部外周面に環状の係止溝７２２を備えている。このように構成されたパンチ７２は、複数個のパンチガイド７１に形成された貫通孔７１１に各々上下方向に摺動可能に嵌合される。なお、各パンチ７２ー１、７２ー２、７２ー３、７２ー４、７２ー５は、図２および図３に示すように７２ー１と７２ー３と７２ー５が３穴用のパンチ処理部にそれぞれ配設され、７２ー２と７２ー４が２穴用のパンチ処理部にそれぞれ配設されている。
【００２３】
次に上記押圧機構７３について、主に図４および図５を参照して説明する。
図示の実施形態における押圧機構７３は、水平部をなす押圧部７３１と該押圧部７３１の中央部から下方に垂下して設けられた筒状の支持部７３２とを有する押圧部材７３０と、押圧部７３１の両端に装着され上方に向けて門形状に形成された復帰部材７３３とを具備している。押圧部材７３０を構成する押圧部７３１は矩形状に形成されており、その上面に後述するカム７７が作用するようになっている。
【００２４】
押圧部材７３０を構成する筒状の支持部７３２は、上記断面正方形のパンチガイド７１の両側面に対応した側部７３２ａ、７３２ｂと、パンチガイド７１の奥側面に対応した奥側部（図示せず）とを有し、パンチガイド７１の前側面に対応する側が開放されている。なお、側部７３２ａ、７３２ｂの下部前端には、互いに内側に突出して形成された案内部７３２ｃ、７３２ｄが設けられている。なお、案内部７３２ｃと７３２ｄの間隔は、上記パンチ７２の直径より僅かに大きく構成されており、この案内部７３２ｃと７３２ｄとの間を上記パンチ７２が後述するように挿入できるようになっている。このように構成された支持部７３２は、上記側部７３２ａ、７３２ｂと奥側部（図示せず）および案内部７３２ｃ、７３２ｄがパンチガイド７１と上下方向に摺動可能に嵌合し、押圧部材７３自体を支持する機能を有している。
【００２５】
上記支持部７３２を構成する側部７３２ａ、７３２ｂの上部内面には、互いに内側に突出して形成された係止部７３２ｅ、７３２ｆが設けられている。なお、係止部７３２ｅと７３２ｆの間隔は、上記パンチ７２の上部外周面に形成された環状の係止溝７２２に対応する寸法に設定されている。従って、パンチ７２を支持部７３２の前側から案内部７３２ｃと７３２ｄとの間を通して支持部７３２内に挿入するとともに、パンチ７２の上部外周面に形成された環状の係止溝７２２を係止部７３２ｅ、７３２ｆに係合することにより、パンチ７２に押圧部材７３０を装着することができる。このように構成された押圧部材７３０は、適宜の合成樹脂によって一体成形されている。
【００２６】
上記パンチガイド７１の上端と押圧部材７３０の支持部７３２に設けられた係止部７３２ｅ、７３２ｆとの間には圧縮コイルばね７９が配設されている。この圧縮コイルばね７９のばね力によって押圧部材７３０は常に上方に向けて付勢されている。
【００２７】
上記押圧機構７３を構成する復帰部材７３３は、互いに上下方向に延びる支持部７３３ａ、７３３ｂと、該支持部７３３ａと７３３ｂの上端を互いに連結する復帰作用部７３３ｃとを有しており、適宜の合成樹脂によって一体成形されている。支持部７３３ａ、７３３ｂの下端にはそれぞれ係止溝を備えた係合部７３３ｄ、７３３ｅが設けられており、この係合部７３３ｄ、７３３ｅの係止溝を上記押圧部７３１の両端に係合することにより、復帰部材７３３を押圧部材７３０に装着することができる。復帰作用部７３３ｃは、その下面が後述するカム７７が作用するようになっている。即ち、パンチ処理後においてカム７７の回動に伴いパンチ７２は圧縮コイルばね７９のばね力によって所定の退避位置に向けて上方に作動せしめられるが、パンチ７２と穿設した紙との抵抗力が圧縮コイルばね７９のばね力より大きい場合には、パンチ７２を退避位置に向けて作動することが困難となる。しかるに、図示の実施形態においては、上記抵抗力によってパンチ７２を退避位置に向けての作動が困難となった場合には、回動するカム７７が復帰部材７３３の復帰作用部７３３ｃの下面に作用して復帰部材７３３を押し上げるので、復帰部材７３３を装着した押圧部材７３０に連結されたパンチ７２を所定の退避位置に位置付けることができる。
【００２８】
図示の実施形態においては、上記復帰部材７３３を構成する復帰作用部７３３ｃの中央部両側には、後述するカム７７を装着したカム軸８１の軸方向にそれぞれ突出して形成された副復帰作用部７３３ｆ、７３３ｇが設けられている（図２、図３参照）。この副復帰作用部７３３ｆ、７３３ｇは、その下面が復帰作用部７３３ｃの下面と同一平面を形成しており、後述するようにカム７７が押圧部７３１および復帰部材７３３と対向する作用位置から軸方向に変位して非作用位置に位置付けられたときカム７７と対向するようになっている。従って、カム７７が非作用位置に位置付けられているときには本来パンチ７２は作動しないが、何らかの原因でパンチ７２が下方に作動した場合にはカム７７が副復帰作用部７３３ｆ、７３３ｇのいずれかの下面に作用してパンチ７２を所定の復帰位置に位置付けることができる。なお、図示の実施形態においては、副復帰作用部７３３ｆ、７３３ｇを復帰部材７３３を構成する復帰作用部７３３ｃの中央部両側にそれぞれ設けた例を示したが、これは各復帰部材７３３を共通化するためで、副復帰作用部はカム７７が押圧部７３１と対応する位置に位置付けられていない状態で、カム７７と対応する側の一方に設ければよい。
【００２９】
次に、上記パンチ作動機構７４について、図２乃至図８を参照して説明する。パンチ作動機構７４は、カム機構７５と、該カム機構７５を選択的に回転駆動せしめるカム駆動機構８０と、カム機構７５を第１の位置（図示の実施形態においては３穴パンチ処理位置）と第２の位置（図示の実施形態においては２穴パンチ処理位置）に切り換えるカム位置切換機構９０とを具備している。
【００３０】
図示の実施形態におけるカム機構７５は、上記複数個の押圧機構７３を構成する押圧部材７３０の配列方向に沿って配設されたカム軸７６と、該カム軸７６の所定位置に装着された複数個（図示の実施形態においては５個）のカム７７（７７ー１、７７ー２、７７ー３、７７ー４、７７ー５）と、該カム７７（７７ー１、７７ー２、７７ー３、７７ー４、７７ー５）のそれぞれに隣接してカム軸７６に装着された複数個（図示の実施形態においては５個）の案内筒スリーブ（７８ー１、７８ー２、７８ー３、７８ー４、７８ー５）とからなっている。
上記カム軸７６は、上記複数個の押圧機構７３を構成する各押圧部材７３０の押圧部７３１と復帰部材７３３とによって形成される空間を挿通して配設され、その両端部が上記上案内板６１にビス９１１およびビス９２１によって装着された手前側側板９１および奥側側板９２に軸受９３および９４を介して回転自在に軸支されている。
【００３１】
上記カム７７（７７ー１、７７ー２、７７ー３、７７ー４、７７ー５）は、適宜の合成樹脂によって形成され外周面がカム面として機能するように構成されている。上記案内筒スリーブ７８（７８ー１、７８ー２、７８ー３、７８ー４、７８ー５）は、適宜の合成樹脂によって形成され、その外周面の半径は上記カム７７における最も短い半径部に相当する長さに形成されている。従って、カム７７が押圧部材７３０の押圧部７３１と対向していない場合には、案内スリーブ７８が押圧部７３１と対向する位置に位置する。このように構成された案内スリーブ７８により、後述するようにカム位置切換機構９０によってカム軸７６を軸方向に作動する際に、その作動を円滑に行うことができる。なお、カム７７と案内スリーブ７８は一体成形してもよい。
【００３２】
次に、カム駆動機構８０について説明する。
図示の実施形態におけるカム駆動機構８０は、カム軸７７の奥側（図２および図３において上側）端部に配設された駆動歯車８１と、該駆動歯車８１の駆動力をカム軸７７に伝達または遮断するためのばねクラッチ８３を具備している。駆動歯車８１は、カム軸７７と軸方向には相対移動可能であるがカム軸７７と一体的に回転するように嵌合された駆動スリーブ８２に、回転自在に装着されている。この駆動歯車８１は、図示しない駆動機構を介して上記電動モータ４４（Ｍ１）に伝動連結されている。上記駆動スリーブ８２には軸方向に長い長穴８２ａが形成されており、この長穴８２ａにカム軸７７に固定されたピン８２１が嵌合するように構成されている。そして、駆動スリーブ８２の図２および図３において左端部が、上記軸受９４によって回転可能に支持されている。従って、カム軸７７は、駆動スリーブ８２に形成された長穴８２ａの範囲で軸方向に摺動することができる。なお、カム軸７７の駆動スリーブ８２より奥側（図２および図３において上側）には、駆動スリーブ８２の奥側端面に当接するばね受け９５が摺動可能に装着されているとともに、更に奥側にばね受け９６が固定されている。この受け９５とばね受け９６との間に圧縮コイルばね９７が配設されている。従って、圧縮コイルばね９７のばね力の作用て、駆動スリーブ８２の手前側端面が上記軸受９４に当接するとともに、カム軸７７が奥側（図２および図３において上側）に向けて付勢されている。
【００３３】
次に、上記ばねクラッチ８３について説明する。
図示の実施形態における上記ばねクラッチ８３は、上記駆動歯車８１と一体に形成された第１のボス部材８３１と、該第１のボス部材８３１と対向して配設され上記駆動スリーブ８２と一体的に回転するように構成された第２のボス部材８３２と、該第１のボス部材８３１と第２のボス部材８３２に跨がって被嵌されたコイルばね８３３と、該コイルばね８３３を被嵌して配設された回転制御部材８３４とを具備している。
上記コイルばね８３３は、その一端が上記第２のボス部材８３２に形成された溝に係合し、その他端が回転制御部材８３４に形成された溝に係合されている。上記回転制御部材８３４は、図６に示すように中空スリーブ部材からなる本体８３４ａと、該本体８３４ａの外周に設けられた係止爪８３４ｂとからなっている。係止爪８３４ｂは、外周面から所定の隙間を設けて配設された係止部８３４ｃと該係止部８３４ｃの奥側端部と本体８３４ａとを連結する支持部８３４ｄとからなっている。第２の係止爪８３４ｅは、第１の係止爪８３４ｂの係止部８３４ｃの高さより低く形成されている。
【００３４】
このように構成されたばねクラッチ８３は、係止爪８３４ｂに後述するフラッパー型ソレノイド８４（ＳＯＬ３）のフラッパーが係合して回転制御部材８３４の回動が規制されると、上記コイルばね８３３は上記駆動歯車７８と一体の第１のボス部材８３１の回転によって拡張するため、駆動歯車７８および第１のボス部材８３１がカム軸８１上を空転し、カム軸８１には駆動力が伝達されない。一方、係止爪８３４ｂに後述するフラッパー型ソレノイド８４（ＳＯＬ３）のフラッパーが係合しないと、回転制御部材８３４の回動が許容されるため、コイルばね８３３が収縮して第１のボス部材８３１と第２のボス部材８３２の外周面に密着して第１のボス部材８３１と第２のボス部材８３２がコイルばね８３３を介して接続される。従って、駆動歯車７８に伝達された駆動力は、第１のボス部材８３１とコイルばね８３３と第２のボス部材８３２および駆動スリーブ８２とピン８２１を介してカム軸８１に伝達される。
【００３５】
次に、上記ばねクラッチ８３を制御するフラッパー型ソレノイド８４（ＳＯＬ３）について、図７および図８をも参照して説明する。
フラッパー型ソレノイド８４（ＳＯＬ３）は、上記奥側側板９２にビス等の固定手段によって取り付けられたブラケット８４１と、該ブラケット８４１に装着されたソレノイド８４２と、該ソレノイド８４２の上側に配設されその一端部（図７および図８において右端部）がブラケット８４１に支持部８４１ａを支点として揺動可能に支持されたフラッパー８４３と、該フラッパー８４３の一端（図７および図８において右端）に設けられたばね取付け部８４３ａとブラケット８４１との間に張設されたコイルばね８４４とを具備している。
フラッパー８４３の他端部（図７および図８において左端部）には、図８に示すように上記回転制御部材８３４に設けられた係止爪８３４ｂと係合するための係合部８４３ｂを備えている。この係合部８４３ｂは係止爪８３４ｂ側に突出して形成されており、係止爪８３４ｂの係止部８３４ｃと係合するように構成されている。このように構成されたフラッパー型ソレノイド８４（ＳＯＬ３）は、ソレノイド８４２が除勢されているときには、フラッパー８４３が図７において実線で示すようにコイルばね８４４によって支持部８４１ａを支点として時計方向に揺動すべく付勢されている。この状態では、フラッパー８４３の係合部８４３ｂは上記第１の係止爪８３４ｂの係止部８３４ｃと係合する位置に位置付けられる。一方、フラッパー型ソレノイド８４（ＳＯＬ３）のソレノイド８４２が付勢されると、フラッパー８４３は図７において２点鎖線で示すようにソレノイド８４２の吸引力によってコイルばね８４４のばね力に抗して吸引される。
【００３６】
次に、カム位置切換機構９０について、図２および図３を参照して説明する。図示の実施形態におけるカム位置切換機構９０は、カム軸７７の手前側（図２および図３において下側）に配設された電磁ソレノイド９００（ＳＯＬ２）と、該電磁ソレノイド９００（ＳＯＬ２）のプランジャ９０１とカム軸７７とを連結する連結部材９０２とからなっている。
このように構成されたカム位置切換機構９０は、電磁ソレノイド９００（ＳＯＬ２）が除勢されているときには、図２で示すようにプランジャ９０１が突出した状態にあり、カム軸７６は上記圧縮コイルばね９７のばね力によって奥側（図２および図３において上側）に移動せしめられ図２で示す第１の位置（３穴パンチ処理位置）に位置付けられている。このカム軸７６が第１の位置に位置付けられた状態では、カム７７ー１と７７ー３および７７ー５が押圧機構７３ー１と７３ー３および７２ー５に対応した位置に位置付けられる。一方、電磁ソレノイド９００（ＳＯＬ２）が付勢されると、プランジャ９０１が上記圧縮コイルばね９７のばね力に抗して吸引され、従って、カム軸７６は手前側（図２および図３において下側）に移動せしめられ図３で示す第２の位置（２穴パンチ処理位置）に位置付けられる。このカム軸７６が第２の位置に位置付けられた状態では、カム７７ー２および７７ー４が押圧機構７３ー２および７３ー４に対応した位置に位置付けられる。
【００３７】
図示の用紙穿孔装置５０を備えた後処理装置４は、図１１に示す制御手段１００を具備している。制御手段１００は、マイクロコンピュータによって構成されており、制御プログラムに従って演算処理する中央処理装置（ＣＰＵ）１０１と、制御プログラムを格納するリードオンリメモリ（ＲＯＭ）１０２と、演算結果等を格納する読み書き可能なランダムアクセスメモリ（ＲＡＭ）１０３と、タイマ１０４（Ｔ）と、カウンタ１０５と、入力インターフェース１０６および出力インターフェース１０７とを備えている。このように構成された制御手段１００の入力インターフェース１０６には、上記用紙検出器６７（ＳＷ１）等からの検出信号が入力され、出力インターフェース１０７から上記電動モータ４４（Ｍ１）、電磁ソレノイド４７（ＳＯＬ１）、電磁ソレノイド７５０（ＳＯＬ２）、フラッパー型ソレノイド８４（ＳＯＬ３）、電磁クラッチ６６（ＣＬＴ１）等に制御信号を出力する。また、制御手段１００は、複写機本体２の制御手段２００と接続されており、両者間においても制御信号のやり取りが行われる。複写機本体２の制御手段２００には、複写機本体２の操作パネルに配設された複写開始キー２０１（ＳＷ２）、２穴パンチキー２０２（ＳＷ３）、３穴パンチキー２０３（ＳＷ４）、ステイプルキー２０４（ＳＷ５）等から複写情報が入力される。
【００３８】
図示の実施形態による用紙穿孔装置を備えた後処理装置は以上のように構成されており、以下穿孔処理の作動について図９および図１０に示す作動状態説明図および図１２に示すフローチャートをも参照して説明する。
【００３９】
制御手段１００は作動を開始すると、先ず、複写機本体２の制御手段２００から２穴パンチキー２０２（ＳＷ３）が押されて２穴パンチ処理が指定された否かをチェックし（ステップＳ１）、２穴パンチ処理が指定されている場合はステップステップＳ２に移行し、２穴パンチ処理が指定されていない場合はステップステップＳ３に移行する。ステップＳ１において２穴パンチ処理が指定されている場合は、制御手段１００はステップステップＳ２に進んで、上記カム軸７６を作動するカム位置切換機構９０を構成する電磁ソレノイド９００（ＳＯＬ２）を付勢する。電磁ソレノイド９００（ＳＯＬ２）が付勢されることにより、カム軸７６は上述したように図３で示す第２の位置（２穴パンチ処理位置）に位置付けられ、カム７７ー２および７７ー４が押圧機構７３ー２および７３ー４の押圧部材７３０に対応した位置に位置付けられる。一方、ステップＳ１において２穴パンチ処理が指定されていない場合は、制御手段１００はステップステップＳ３に進んで、複写機本体２の制御手段２００から３穴パンチキー２０３（ＳＷ４）が押されて３穴パンチ処理が指定された否かをチェックする。ステップＳ３において３穴パンチ処理が指定されていない場合は、制御手段１００はパンチ処理が指定されていないものと判断して、スタートに戻る。ステップＳ３において３穴パンチ処理が指定されている場合は、制御手段１００はステップＳ４に進んで、上記電磁ソレノイド９００（ＳＯＬ２）を除勢する。電磁ソレノイド９００（ＳＯＬ２）が除勢されると、カム軸７６は上述したように図２で示す第１の位置（３穴パンチ処理位置）に位置付けられ、カム７７ー１と７７ー３および７７ー５が押圧機構７３ー１と７３ー３および７３ー５の押圧部材７３０に対応した位置に位置付けられる。
【００４０】
上述したように押圧機構７３が２穴パンチ処理状態または３穴パンチ処理状態にセットされたときには、フラッパー型ソレノイド８４（ＳＯＬ３）と回転制御部材８３４とが図９の（ａ）に示す状態となる。即ち、フラッパー型ソレノイド８４（ＳＯＬ３）は除勢されており、フラッパー８４３は係合部８４３ｂが係止爪８３４ｂの係止部８３４ｃと係合する位置に位置付けられる。また、カム軸７６が装着されたカム７７と押圧機構７３とは、図１０の（ａ）に示す状態となる。即ち、カム７７の最も短い半径部が押圧機構７３を構成する押圧部材７３０の押圧部７３１の上面に当接している。従って、押圧機構７３によって作動されるパンチ７２は退避位置に位置付けられている。なお、今回の実施例においては、電磁ソレノイド４７（ＳＯＬ１）は除勢されており、分岐爪４６が図１において実線で示す第１の位置に位置付けられているものとする。
【００４１】
上記のようにして、押圧機構７３が２穴パンチ処理状態または３穴パンチ処理状態にセットされたならば、制御手段１００はステップＳ５に進んで、用紙検出器６７（ＳＷ１）がＯＮしたか否かをチェックする。即ち、複写機本体２で画像形成され用紙搬入口４０１を通して後処理装置４内に搬入された用紙の前端が用紙検出器６７（ＳＷ１）に達したか否かをチェックする。ステップＳ５において用紙検出器６７（ＳＷ１）がＯＮしなければ待ち、用紙検出器６７（ＳＷ１）がＯＮしたならば用紙の前端が用紙検出器６７（ＳＷ１）に達したものと判断して、制御手段１００はステップＳ６に進んで、上記レジストローラ対６５への動力伝達の断・接を行う電磁クラッチ６６（ＣＬＴ１）を除勢してレジストローラ対６５を停止状態に維持し、上記電動モータ４４（Ｍ１）を駆動するとともに、タイマ１０４（Ｔ）を所定セット時間Ｔ１にセットする。なお、この所定セット時間Ｔ１は、上記用紙検出器６７（ＳＷ１）を通過した用紙の前端が停止状態にあるレジストローラ対６５のニップ部に当接するまでに要する時間で、例えば１５０μｓｅｃに設定されている。なお、レジストローラ対６５のニップ部に前端が当接しても用紙Ｐは複写機本体２の排出ローラ対３５によって送り出されているので、用紙案内手段６０を構成する上案内板６１の上流側端部および用紙搬入部に設けられた案内板４１１に案内され図１において１点鎖線で示すように湾曲せしめられ、所謂ループを形成する。
【００４２】
次に、制御手段１００はステップＳ７に進んで、用紙検出器６７（ＳＷ１）がＯＮしてからの経過時間ＴＳが上記セット時間Ｔ１に達したか否かチェックし、経過時間ＴＳが上記セット時間Ｔ１に達していなければ待ち、経過時間ＴＳが上記セット時間Ｔ１に達したならば、用紙の前端がレジストローラ対６５のニップ部に当接したものと判断して、ステップＳ８に進んでフラッパー型ソレノイド８４（ＳＯＬ３）を付勢する。フラッパー型ソレノイド８４（ＳＯＬ３）が付勢されると、図８の（ａ）の状態からフラッパー８４３は下方に吸引され係合部８４３ｂが係止爪８３４ｂの係止部８３４ｃと本体８３４ａの外周面との隙間の位置に位置付けられるため、回転制御部材８３４の回動が許容されて上述のように駆動歯車７８に伝達された駆動力がばねクラッチ８３を介してカム軸７６に伝達される。このため、図９の（ｂ）に示すように回転制御部材８３４も矢印で示す方向に回転する。また、制御手段１００はステップＳ８において、フラッパー型ソレノイド８４（ＳＯＬ３）を付勢するとともに、タイマ１０４（Ｔ）を所定セット時間Ｔ２にセットする。なお、この所定セット時間Ｔ２は、フラッパー型ソレノイド８４（ＳＯＬ３）が付勢されて回転制御部材８３４が図９の（ａ）の状態から図９の（ｂ）に示す略９０度回転するまでに要する時間で、例えば２５μｓｅｃに設定されている。なお、回転制御部材８３４の回動が許容されると、上述のように駆動歯車７８に伝達された駆動力がばねクラッチ８３を介してカム軸７６に伝達される。従って、上記押圧カム７７は、図１０の（ａ）の状態から図１０の（ｂ）において矢印で示す方向に回転せしめられる。
【００４３】
次に、制御手段１００はステップＳ９に進んで、フラッパー型ソレノイド８４（ＳＯＬ３）を付勢し回転制御部材８３４が回転し始めてからの経過時間ＴＳが上記セット時間Ｔ２に達したか否かチェックし、経過時間ＴＳが上記セット時間Ｔ２に達していなければ待ち、経過時間ＴＳが上記セット時間Ｔ２に達したならば、回転制御部材８３４が図９の（ａ）の状態から図９の（ｂ）に示す略９０度回転したものと判断して、ステップＳ１０に進みフラッパー型ソレノイド８４（ＳＯＬ３）を除勢する。そして、制御手段１００はタイマ１０４（Ｔ）を所定セット時間Ｔ３にセットする。なお、この所定セット時間Ｔ３は、回転制御部材８３４が図９の（ｂ）の状態から略２７０度回転して図９の（ｃ）の位置に達するまでに要する時間で、例えば７５μｓｅｃに設定されている。一方、カム軸７６に装着されたカム７７も図１０の（ｂ）に示す状態から矢印で示す方向に回転し、図１０の（ｂ）に示す状態から略１８０度回転した図１０の（ｃ）に示す状態で、パンチ７２は最下位のパンチ位置に達する。この状態では、押圧機構７３によって作動されるパンチ７２は、その下端のパンチ刃７２１が上案内板６１に設けられた通孔６１１および下案内板６２に設けられたパンチ孔６２１を挿通して下案内板６２の下方に達する。この間に上案内板６１と下案内板６２との間に搬送されている用紙Ｐに、２穴または３穴が穿設される。図１０の（ｃ）に示す状態からカム軸７６即ちカム７７が矢印方向に更に回転すると、押圧機構７３によって作動されるパンチ７２は上昇して上案内板６１の上方に達する。そして、カム軸７６が図９の（ｂ）および図１０の（ｂ）状態から２７０度（図９の（ａ）および図１０の（ａ）状態から１回転）回転すると、図９の（ａ）に示すようにフラッパー型ソレノイド８４（ＳＯＬ３）のフラッパー８４３の係合部８４３ｂに回転制御部材８３４の係止爪８３４ｂの係止部８３４ｃが当接して回転制御部材８３４の回動を規制する。従って、ばねクラッチ８３による動力伝達が遮断されカム軸７６の回転は停止する。この状態では、カム軸７６装着されたカム７７と押圧機構７３とは、図１０の（ａ）に示す状態（退避位置）に戻る。
【００４４】
なお、上記図１０の（ｃ）に示すパンチ７２により穴明けした状態から図１０の（ａ）に示す退避位置に戻す際に、パンチ７２と穿設した紙との抵抗力が圧縮コイルばね７９のばね力より大きい場合には、パンチ７２を退避位置に向けて作動することが困難となるが、図示の実施形態においては、回動するカム７７が復帰部材７３３の復帰作用部７３３ｃの下面に作用して押圧機構７３を押し上げるので、押圧機構７３に連結されたパンチ７２を所定の退避位置に位置付けることができる。
また、上記図１０の（ｃ）に示す状態において、カム７７が押圧部材７３０と対応する作用位置に位置付けられていない場合には本来パンチ７２は作動しないが、何らかの原因でパンチ７２が下方に作動した場合には上述したように副復帰作用部７３３ｆ、７３３ｇのいずれかカム７７と対応するように構成されているので、カム７７が副復帰作用部７３３ｆ（７３３ｇ）の下面に作用して押圧機構７３を押し上げパンチ７２を所定の退避位置に位置付けることができる。
【００４５】
上記ステップＳ１０においてフラッパー型ソレノイド８４（ＳＯＬ３）を除勢しタイマ１０４（Ｔ）を所定セット時間Ｔ３にセットしたら、制御手段１００ステップＳ１１に進んでフラッパー型ソレノイド８４（ＳＯＬ３）を除勢してからの経過時間ＴＳが上記セット時間Ｔ３に達したか否かチェックし、経過時間ＴＳが上記セット時間Ｔ３に達していなければ待ち、経過時間ＴＳが上記セット時間Ｔ３に達したならば、上記穿孔動作が終了したものと判断して、ステップＳ１２に進み上記電磁クラッチ６６（ＣＬＴ１）を付勢する。電磁クラッチ６６（ＣＬＴ１）が付勢されると、レジストローラ対６５が駆動せしめられて上記のようにして２穴または３穴パンチ処理された用紙は、排出ローラ対４２に向けて搬送され排出ローラ対４２によってノンソート用トレイ４８に排出される。そして、制御手段１００はタイマ１０４（Ｔ）を所定セット時間Ｔ４にセットする。なお、この所定セット時間Ｔ４は、複写機本体２で画像処理され後処理装置４に搬送される最後の用紙の穿孔動作が終了したか否かを判断するに要する時間で、例えば１ｓｅｃに設定されている。
【００４６】
次に、制御手段１００はステップＳ１３に進んで、レジストローラ対６５を駆動してパンチ処理された用紙を排出ローラ対４３に向けて搬送してからの経過時間ＴＳが上記セット時間Ｔ４に達したか否かチェックする。制御手段１００は上記経過時間ＴＳが上記セット時間Ｔ４に達していなければステップＳ１４に進んで用紙検出器６７（ＳＷ１）がＯＮしたか否かをチェックし、用紙検出器６７（ＳＷ１）がＯＮしたならば次の用紙の前端が用紙検出器６７（ＳＷ１）に達したものと判断し上記ステップＳ６に戻って、ステップＳ６乃至ステップＳ１４を繰り返し実行する。一方、ステップＳ１４において用紙検出器６７（ＳＷ１）がＯＮしなければ、複写機本体２から次の用紙が搬送されてこないのでステップＳ１３に戻って、ステップＳ１３乃至ステップＳ１４を繰り返し実行する。そして、ステップＳ１３乃至ステップＳ１４を繰り返し実行している間に、レジストローラ対６５を駆動してパンチ処理された用紙を排出ローラ対４２に向けて搬送してからの経過時間ＴＳが上記セット時間Ｔ４に達したならば、制御手段１００は複写機本体２で画像処理され後処理装置４に搬送される最後の用紙の穿孔動作が終了したものと判断して、ステップＳ１５に進んで上記切り換え軸７４を作動する電磁ソレノイド７５０（ＳＯＬ２）を除勢し、上記電磁クラッチ６６（ＣＬＴ１）を除勢するとともに、上記電動モータ４４（Ｍ１）を停止して穿孔処理動作を終了する。
【００４７】
以上、本発明を図示の実施形態に基づいて説明したが、本発明は図示の実施形態のみに限定されるものではなく、例えば図示の実施形態においては、後処理装置に本発明を実施した例を示したが、本発明による用紙穿孔装置は画像形成機内に配設してもよい。
【００４８】
【発明の効果】
本発明による用紙穿孔装置は以上のように構成されているので、以下の作用効果を奏する。
【００４９】
即ち、本発明によれば、複数個のパンチの各々に装着された複数個の押圧部材を作動するパンチ作動機構は、複数個の押圧機構の配列方向に沿って配設されたカム軸と、該カム軸に装着された複数個のカムと、該カム軸を回転駆動するカム駆動機構と、カム軸を軸方向に作動し複数個のカムの中の一部のカムを複数個の押圧部材の中の一部の押圧部材と対応する第１の位置と、複数個のカムの中の他のカムを複数個の押圧部材の中の他の押圧部材と対応する第２の位置に選択的に位置付けるカム位置切換機構とによって構成され、カム軸を軸方向に作動することによって２種類の穴を適宜選択できるので、部品点数が少なくコンパクトに構成することができるとともに、部品点数が少なくなることにより各部品の動作による作動音も小さくなる用紙穿孔装置が得られる。
【図面の簡単な説明】
【図１】本発明に従って構成された用紙穿孔装置を備えた後処理装置を装備した画像形成機の一実施形態を示す概略構成図。
【図２】本発明に従って構成された用紙穿孔装置の３穴処理状態の一部を破断して示す平面図。
【図３】本発明に従って構成された用紙穿孔装置の２穴処理状態の一部を破断して示す平面図。
【図４】図２におけるＡ−Ａ線断面図。
【図５】本発明に従って構成された用紙穿孔装置を構成する押圧機構の正面図。
【図６】本発明に従って構成された用紙穿孔装置に用いられるばねクラッチを構成する回転制御部材の斜視図。
【図７】本発明に従って構成された用紙穿孔装置に用いられるフラッパー型ソレノイドの側面図。
【図８】本発明に従って構成された用紙穿孔装置に用いられるフラッパー型ソレノイドとばねクラッチを構成する回転制御部材との関係を示す平面図。
【図９】本発明に従って構成された用紙穿孔装置に用いられるフラッパー型ソレノイドとばねクラッチを構成する回転制御部材との作動状態を示す説明図。
【図１０】本発明に従って構成された用紙穿孔装置に用いられるパンチユニットとパンチユニットの作動カムとの作動状態を示す説明図。
【図１１】本発明に従って構成された用紙穿孔装置を制御する制御手段の構成ブロック図。
【図１２】図１１に示す制御手段の処理手順を示すフローチャート。
【符号の説明】
２：静電複写機
４：後処理装置
５：機体ハウジング
６：静止透明板
７：自動原稿搬送装置
８：感光体ドラム
９：帯電用コロナ放電器
１０：現像装置
１１：転写用コロナ放電器
１２：剥離用コロナ放電器
１３：クリーニングユニット
１４：除電ランプ
１５：照射ランプ
１６：第１のミラー
１７：第２のミラー
１８：第３のミラー
１９：レンズ
２０：第４のミラー
２２：用紙供給装置
２３：用紙カセット
２４：用紙カセット
２５：用紙送出ローラ
２６：用紙送出ローラ
２７：捌きローラ対
２８：捌きローラ対
２９：案内路
３０：搬送ローラ対
３１：搬送ローラ対
３２：レジストローラ対
３３：転写紙搬送ベルト機構
３４：定着装置
３５：排出ローラ対
３６：排出口
４０：装置ハウジング
４０１：用紙搬入口
４１：第１の用紙搬送路
４１１：案内板
４１２：案内板
４３：排出排出ローラ対
４４：電動モータ（Ｍ１）
４５：第２の用紙搬送路
４６：分岐爪
４７：電磁ソレノイド（ＳＯＬ１）
４８：ノンソート用トレイ
４９：ソート用トレイ
５０：用紙穿孔装置
６０：用紙案内手段
６１：上案内板
６１１：通孔
６２：下案内板
６２１：パンチ孔
６５：レジストローラ対
６６：電磁クラッチ（ＣＬＴ１）
６７：用紙検出器（ＳＷ１）
７０：パンチユニット
７１：パンチガイド
７２：パンチ
７３：押圧機構
７３０：押圧部材
７３３：復帰部材
７４：パンチ作動機構
７５：カム機構
７６：カム軸
７８：カム
７９：圧縮コイルばね
８０：カム駆動機構
８１：駆動歯車
８２：駆動スリーブ
８３：ばねクラッチ
８４：フラッパー型ソレノイド（ＳＯＬ３）
９０：カム位置切換機構
９００：電磁ソレノイド（ＳＯＬ２）
１００：制御手段
２００：複写機本体の制御手段
２０１：複写開始キー（ＳＷ２）
２０２：２穴パンチキー（ＳＷ３）
２０３：３穴パンチキー（ＳＷ４）
２０４：ステイプルキー（ＳＷ５）
【図１】
0003741973.tif 000002
【図２】
0003741973.tif 000003
【図３】
0003741973.tif 000004
【図４】
0003741973.tif 000005
【図５】
0003741973.tif 000006
【図６】
0003741973.tif 000007
【図７】
0003741973.tif 000008
【図８】
0003741973.tif 000009
【図９】
0003741973.tif 000010
【図１０】
0003741973.tif 000011
【図１１】
0003741973.tif 000012
【図１２】
0003741973.tif 000013